(57)【特許請求の範囲】
【請求項１】
基礎床面上にＨ型鋼を組合わせて構築した梁にわたって床パネルを敷設するようにしたフリーアクセスフロア用床パネルの設置構造であって、前記Ｈ型鋼の上側水平部にパネル設置用台座を取付けボルトで着脱可能に定着させ、該パネル設置用台座には前記Ｈ型鋼の上側水平部から外れた位置にボルト貫通穴を形成し、上記ボルト貫通穴にパネル取付けボルトを該パネル設置用台座の下面側から当該パネル設置用台座上に載置した床パネルにわたって挿通せしめ、上記パネル取付けボルトを床パネルに設置した取付ナットに螺合締結せしめた事を特徴とするフリーアクセスフロア用床パネルの設置構造。
【請求項２】
前記ボルト貫通穴が長穴形状に開口形成された請求項１記載のフリーアクセスフロア用床パネルの設置構造。
【発明の詳細な説明】
【０００１】
【発明の属する技術分野】
本発明は、フリーアクセスフロア用床パネルの設置構造に関し、特に、クリーンルームを構築する場合など、基礎床面上にＨ型鋼を組合わせて構築した梁にわたって床パネルを敷設するようにしたフリーアクセスフロア用床パネルの設置構造に関するものである。
【０００２】
【従来の技術】
従来のこの種床パネルの設置構造にあっては、図４に示すごとく、Ｈ型鋼を組合わせて構築された梁Ｂの上側水平部３上面にパネル載置座板ａを接着剤で固着せしめ、床パネルＣの上面側から挿込んだ皿ビスｂをパネル載置座板ａに捩じ込み締結させていた。
その為に、床パネルＣのレイアウト変更が必要な場合に、Ｈ型鋼並びにパネル載置座板ａの配置施工精度が悪いとパネル載置座板ａを剥がして再度接着しなければならないことが多く、床パネルのレイアウト変更が非常に面倒であった。
しかも、床パネルＣをパネル載置座板ａに固着している皿ビスｂには、格別な緩み止め手段が施されておらず且つ細いので、床パネルの敷設後に床面上を歩行する振動などで皿ビスｂが緩みやすく、緩んだ皿ビスの頭部ｂ’が床パネルの表面から突出して歩行の障害になる不具合があった。
【０００３】
【発明が解決しようとする課題】
本発明はこの様な従来の不具合に鑑みてなされたものであり、床パネルのレイアウト変更を容易に行なうことが可能であると共に、床パネルを梁を構成しているＨ型鋼側にしっかりと定着させることが出来、しかも床パネルを固定するボルトが皿ビスより緩み難く緩んでも床パネルの表面から突出することの無いフリーアクセスフロア用床パネルの設置構造を提供せんとするものである。
【０００４】
【課題を解決するための手段】
斯る目的を達成する本発明のフリーアクセスフロア用床パネルの設置構造は、基礎床面上にＨ型鋼を組合わせて構築した梁にわたって床パネルを敷設するようにしたフリーアクセスフロア用床パネルの設置構造であって、前記Ｈ型鋼の上側水平部にパネル設置用台座を取付けボルトで着脱可能に定着させ、該パネル設置用台座には前記Ｈ型鋼の上側水平部から外れた位置にボルト貫通穴を形成し、上記ボルト貫通穴にパネル取付けボルトを該パネル設置用台座の下面側から当該パネル設置用台座上に載置した床パネルにわたって挿通せしめ、上記パネル取付けボルトを床パネルに設置した取付ナットに螺合締結せしめた事を特徴としたものである。
この際、前記ボルト貫通穴を長穴形状に形成することが好ましい。
【０００５】
【発明の実施の形態】
以下、本発明の具体的な実施例を図面に基づいて説明する。
図中、Ａは基礎床面を示し、Ｂは基礎床面Ａの上にＨ型鋼を組合わせて構築された梁を示し、ＣはＨ型鋼を組合わせて構築された梁Ｂ上に敷設された床パネルを示す。
【０００６】
床パネルＣは、平面略正方形又は長方形をした定形状に形成され、Ｈ型鋼を組合わせて構築された梁Ｂ上、詳しくは梁Ｂ上に着脱可能に定着せしめたパネル設置用台座１上にパネル取付けボルト２でもって取外し可能に敷設される。
【０００７】
パネル設置用台座１は、梁Ｂを構成しているＨ型鋼の上側水平部３に取付けボルト４でもって着脱可能に定着する。具体的には、Ｈ型鋼の上側水平部３上面に配置される平板形状に形成した上台座１ａと、上側水平部３の下面に配置される断面略Ｌ字形状に形成した下台座１ｂとでパネル設置用台座１を構成し、これら上台座１ａと下台座１ｂに互いに対応する位置にボルト挿通穴５ａ，５ｂを開口形成すると共に、これら上台座１ａと下台座１ｂをＨ型鋼の上側水平部３を上下から挟むように配置して取付けボルト４と取付ナット６でもって着脱可能に定着させるものである。
【０００８】
尚、フロアの周縁部分に配置される梁Ｂ’に定着させるパネル設置用台座１’は、上記したパネル設置用台座１と同様に上台座１ａと下台座１ｂとで構成しても良いし、図２に示す如く、断面略コの字形状に形成して上台座部分と下台座部分を連続同一体に形成しても良い。
【０００９】
また、パネル設置用台座１，１’には、Ｈ型鋼の上側水平部３から外れた位置に、床パネルＣを固定させるパネル取付けボルト２を貫挿通させるためのボルト貫通穴７を形成する。
この際、床パネルＣの敷設位置を微調整し得るように、ボルト貫通穴７を長穴（バカ穴）形状に開口形成することが好ましい。
【００１０】
他方、床パネルＣの裏面側、詳しくは床パネルＣの裏面側に突設せしめた補強用リブＣ’の内底部に、パネル取付けボルト２を螺合連結させるための取付ナット８を固定状に設置しておく。
【００１１】
而して、床パネルＣを敷設する場合には、先ず、梁Ｂ，Ｂ’を構成しているＨ型鋼の上側水平部３にパネル設置用台座１，１’を所定間隔毎に取付けボルト４でもって着脱可能に定着せしめ、次いで各パネル設置用台座１，１’上にわたって床パネルＣを載置する。
【００１２】
然る後、パネル取付けボルト２をパネル設置用台座１，１’のボルト貫通穴７にパネル設置用台座１，１’の下面側から床パネルＣ（の補強用リブＣ’の内底部）にわたって挿通せしめ、そのパネル取付けボルト２を床パネルＣ（の補強用リブＣ’の内底部）に設置した取付ナット８に螺合締結する。これで、床パネルＣがパネル設置用台座１，１’上に取外し可能に敷設される。
【００１３】
尚、パネル取付けボルト２として、通常の頭部を有するボルトを用いても良いし、図示実施例の如くいわゆる寸切りボルトを用いても良い。パネル取付けボルト２として寸切りボルトを用いる場合には、始め床パネルＣ側に設置した取付ナット８に螺合連結させ、その後パネル設置用台座１，１’の下面側に突出した部分に締結ナット９を螺合締結させる。
【００１４】
【発明の効果】
本発明は斯様に、Ｈ型鋼の上側水平部にパネル設置用台座を取付けボルトで着脱可能に定着させ、そのパネル設置用台座上に床パネルをパネル取付けボルトで固定するようにしたので、取付けボルトを外してパネル設置用台座を自由に移動でき、従って床パネルのレイアウト変更を容易に行なうことが可能となる。
【００１５】
しかも、床パネルはパネル設置用台座上にパネル取付けボルトで固定されているので、従来のような皿ビスよりは緩み難く、床パネルをＨ型鋼側に長期に亘ってしっかりと定着させることが出来る。
【００１６】
更に、パネル取付けボルトはパネル設置用台座の下面側から挿通せしめて床パネルの裏面側に設置した取付ナットに螺合締結せしめるようにしたので、仮にパネル取付けボルトが緩んでも床パネルの表面から突出するようなことが無い。
【００１７】
また、特に請求項２記載の床パネルの設置構造によれば、床パネルを固定するパネル取付けボルトを貫挿通させるためのボルト貫通穴を長穴形状に形成したので、床パネルの敷設位置を微調整することが出来る。
【図面の簡単な説明】
【図１】    本発明実施の一例を示す一部切欠平面図。
【図２】    図１の(X) −(X) 線に沿う拡大断面図。
【図３】    図１の(Y) −(Y) 線に沿う拡大断面図。
【図４】    従来例を示す断面図。
【符号の説明】
Ａ……基礎床面                    Ｂ，Ｂ’…梁
Ｃ……床パネル                    １，１’…パネル設置用台座
２……パネル取付けボルト          ３…………上側水平部
４……取付けボルト                ７…………ボルト貫通穴
８……取付ナット                  ９…………締結ボルト
【図１】
0003649507.tif 000002
【図２】
0003649507.tif 000003
【図３】
0003649507.tif 000004
【図４】
0003649507.tif 000005